(57)【要約】【課題】カムフォロアを給紙シャフトの軸に対して着にする際、安全カバーが自動的に閉まる安全カバー装置を提案する。【解決手段】安全カバー装置１は、給紙シャフト３の軸３１を給紙部２に固定するためのカムフォロア２００を作動させる動力が入力されるアクチュエータ１０と、アクチュエータ１０の可動部１００に取り付けられた安全カバー１１を備え、カムフォロア２００を給紙シャフト３の軸３１に対して着にする動力が入力されると、アクチュエータ１０は、安全カバー１１によって給紙部２のギヤ部２ａが覆われる位置に可動部１００を移動させ、カムフォロア２００を給紙シャフト３の軸３１に対して脱にする動力が入力されると、安全カバー１１によって給紙部２のギヤ部２ａが覆われない位置に可動部１００を移動させる。【選択図】図１
2014156102.tif 000002
【特許請求の範囲】
【請求項１】
給紙シャフトの軸を給紙部に固定するためのカムフォロアを作動させる動力が入力されるアクチュエータと、前記アクチュエータの可動部に取り付けられた安全カバーを備え、前記アクチュエータは、前記カムフォロアを給紙シャフトの軸に対して着にする動力が入力されると、前記安全カバーによって給紙部のギヤ部が覆われる位置に前記可動部を移動させることを特徴とする安全カバー装置。
【請求項２】
前記アクチュエータは、前記カムフォロアを給紙シャフトの軸に対して脱にする動力が入力されると、前記安全カバーによって給紙部のギヤ部が覆われない位置に前記可動部を移動させることを特徴とする、請求項１に記載した安全カバー装置。
【請求項３】
前記カムフォロアを作動させる動力を圧縮空気とし、圧縮空気で作動するガイド付きシリンダを前記アクチュエータに用いたことを特徴とする、請求項２に記載した安全カバー装置。
【発明の詳細な説明】
【技術分野】
【０００１】
本発明は、輪転印刷機の給紙部のギヤ部を覆う安全カバーを自動で開閉するための技術に関する。
【背景技術】
【０００２】
オフセット輪転印刷機などの輪転印刷機の給紙部には、印刷用紙をロール状に巻いた巻取りがセットされる。給紙部に巻取りをセットする機構としては、テーパーコーンを利用したシャフトレスの機構もあるが、印刷用紙が紙の場合、巻取りの重量が重くなるため、コアシャフトなどの給紙シャフトを用いる機構が採用されることが多い。
【０００３】
図４は、給紙シャフトを用いるタイプの給紙部に設けられるカムフォロア着脱機構を説明する図である。給紙シャフト３を用いるタイプの給紙部２には、給紙シャフト３を給紙部２に固定するためのカムフォロア２００を給紙シャフト３の軸３１に対して着脱させるカムフォロア着脱機構２０が設けられる。
【０００４】
図４では、カムフォロア着脱機構２０は、複動形のエアシリンダ２０１と、エアシリンダ２０１のピストンロッド２０１ａと連結しているレバー２０２と、レバー２０２が取り付けられた支軸２０３と、レバー２０２と対向して支軸２０３に取り付けられているアーム２０４と、アーム２０４の先端に取り付けられたカムフォロア２００とから少なくとも構成されている。
【０００５】
作業者は、巻取り４を給紙部２にセットする際、まず、給紙部２のギヤ部２ａを覆う安全カバー５を開けて、巻取り４を取り付けた給紙シャフト３を給紙部２にのせた後、給紙シャフト３のシャフトギヤ３０と給紙部２の駆動ギア２１を噛み合わせる（図４（ａ））。なお、巻取り４を給紙部２にセットする際、給紙シャフト３を給紙部２から取り外す必要があるため、カムフォロア２００は給紙シャフト３の軸３１に対して脱、すなわち、カムフォロア２００は給紙シャフト３の軸３１から離れた状態にある。
【０００６】
次に、作業者が、カムフォロア２００を給紙シャフト３の軸３１に対して着にするボタンを押すと、エアシリンダ２０１が有する押側ポート２０１ｂに圧縮空気が供給されて、エアシリンダ２０１のピストンロッド２０１ａが突出し、レバー２０２が下方向に回転する。レバー２０２が下方向に回転すると、レバー２０２に対向して支軸２０３に取り付けたアーム２０４が、カムフォロア２００が給紙シャフト３の軸３１と接触するまで回転し、カムフォロア２００は給紙シャフト３の軸３１に対して着、すなわち、カムフォロア２００は、給紙シャフト３の軸３１と接触した状態になる。なお、カムフォロア２００が給紙シャフト３の軸３１に対して着になると、給紙シャフト３の軸３１は、カムフォロア２００と対向するベアリング２０５とカムフォロア２００によって給紙部２に固定される。
【０００７】
カムフォロア２００を給紙シャフト３の軸３１に対して着にした後、作業者は安全カバー５を閉めることになるが、作業者が安全カバー５を閉め忘れると巻き込み事故の危険性が高まるため、特許文献１のように、安全カバー５の開閉をセンサで検知し、安全カバー５が閉じた状態でなければ、印刷できないようにしていることが多い。
【０００８】
しかし、給紙シャフト３を給紙部２にセットする際、安全カバー５の開閉を検知するセンサと給紙シャフト３が干渉し、このセンサが故障してしまうと、このセンサを交換するまでの間、輪転印刷機で印刷できなくなってしまうことがあった。
【先行技術文献】
【特許文献】
【０００９】
【特許文献１】特開２０１１−１０４８８３号公報
【発明の概要】
【発明が解決しようとする課題】
【００１０】
安全カバーの開閉を検知するセンサを用いずに、安全カバーの閉め忘れを防止するためには、カムフォロアを給紙シャフトの軸に対して着にする際、安全カバーが自動的に閉まるようにすればよいと考えられる。
【００１１】
そこで、本発明では、カムフォロアを給紙シャフトの軸に対して着にする際、安全カバーが自動的に閉まる安全カバー装置を提案することを目的とする。
【課題を解決するための手段】
【００１２】
上述した課題を解決する第１の発明は、給紙シャフトの軸を給紙部に固定するためのカムフォロアを作動させる動力が入力されるアクチュエータと、前記アクチュエータの可動部に取り付けられた安全カバーを備え、前記カムフォロアを給紙シャフトの軸に対して着にする際、前記安全カバーが自動的に閉まるように、前記アクチュエータは、前記カムフォロアを給紙シャフトの軸に対して着にする動力が入力されると、前記安全カバーによって給紙部のギヤ部が覆われる位置に前記可動部を移動させることを特徴とする。
【００１３】
更に、第２の発明は、第１の発明に記載した安全カバー装置であって、前記カムフォロアを給紙シャフトの軸に対して脱にする際、前記安全カバーが自動的に開くように、前記アクチュエータは、前記カムフォロアを給紙シャフトの軸に対して脱にする動力が入力されると、前記安全カバーによって給紙部のギヤ部が覆われない位置に前記可動部を移動させることを特徴とする。
【００１４】
更に、第３の発明は、第２の発明に記載した安全カバー装置であって、前記カムフォロアを作動させる動力として圧縮空気が用いられることが多いため、前記カムフォロアを作動させる動力を圧縮空気とし、圧縮空気で作動するガイド付きシリンダを前記アクチュエータに用いたことを特徴とする。
【発明の効果】
【００１５】
上述した発明にかかる安全カバー装置によれば、給紙シャフトの軸を給紙部に固定するためのカムフォロアを給紙シャフトの軸に対して着にする動力が入力されると、安全カバー装置に備えられたアクチュエータの可動部は、可動部に取り付けられた安全カバーによって給紙部のギヤ部が覆われる位置に移動するため、カムフォロアを給紙シャフトの軸に対して着にする際、安全カバーが自動的に閉まるようになる。
【図面の簡単な説明】
【００１６】
【図１】本実施形態にかかる安全カバー装置の正面図。
【図２】本実施形態にかかる安全カバー装置の斜視図。
【図３】本実施形態にかかる安全カバー装置の配管および動作を説明する図。
【図４】給紙部に設けられるカムフォロア着脱機構を説明する図。
【発明を実施するための形態】
【００１７】
ここから、本発明の好適な実施形態を記載する。なお、以下の記載は本発明の範囲を束縛するものでなく、理解を助けるために記述するものである。
【００１８】
図１は、本実施形態にかかる安全カバー装置１の正面図、図２は、本実施形態にかかる安全カバー装置１の斜視図、図３は、本実施形態にかかる安全カバー装置１の配管および動作を説明する図である。なお、これらの図において、安全カバー装置１に係る符号以外は、図４と同じ符号を用いている。
【００１９】
本実施形態にかかる安全カバー装置１は、巻取り４のセットに、コアシャフトなどの給紙シャフト３を用いる給紙部２に設置され、給紙シャフト３を用いて巻取り４をセットするタイプの給紙部２には、上述しているように、給紙シャフト３を給紙部２に固定するためのカムフォロア２００を給紙シャフト３の軸３１に対して着脱させるカムフォロア着脱機構２０が設けられる。
【００２０】
本実施形態のカムフォロア着脱機構２０は、図４を用いて説明したように、複動形のエアシリンダ２０１と、エアシリンダ２０１のピストンロッド２０１ａと連結しているレバー２０２と、レバー２０２が取り付けられた支軸２０３と、レバー２０２と対向して支軸２０３に取り付けられているアーム２０４と、アーム２０４の先端に取り付けられたカムフォロア２００とから少なくとも構成されている。
【００２１】
本実施形態の安全カバー装置１は、カムフォロア２００に連動して、給紙部２のギヤ部２ａを覆う安全カバー１１が自動的に開閉するように開発された装置で、給紙シャフト３の軸３１を給紙部２に固定するためのカムフォロア２００を作動させる動力が入力されるアクチュエータ１０と、アクチュエータ１０の可動部１００に取り付けられた安全カバー１１を備え、カムフォロア２００を給紙シャフト３の軸３１に対して着にする動力が入力されると、アクチュエータ１０は、安全カバー１１によって給紙部２のギヤ部２ａが覆われる位置に可動部１００を移動させ、カムフォロア２００を給紙シャフト３の軸３１に対して脱にする動力が入力されると、安全カバー１１によって給紙部２のギヤ部２ａが覆われない位置に可動部１００を移動させる。
【００２２】
本実施形態のカムフォロア着脱機構２０では、図４を用いて説明したように、カムフォロア２００は複動形のエアシリンダ２０１で作動するため、カムフォロア２００を作動させる動力はエアシリンダ２０１に供給される圧縮空気になり、本実施形態のアクチュエータ１０を、圧縮空気で作動する複動形のガイド付きシリンダの形態としている。
【００２３】
図１および図２に図示したように、ガイド付きシリンダの形態のアクチュエータ１０は３本のロッドを有し、給紙部２のギヤ部２ａを覆う安全カバー１１が取り付けられた可動部１００は、ガイド付きシリンダの形態のアクチュエータ１０が有する３本のロッドに取り付けられている。
【００２４】
アクチュエータ１０が有する３本のロッドの内、上下の２本のロッドはガイドロッド１０１ａ、ｃで、真ん中のロッドはピストンロッド１０１ｂで、アクチュエータ１０は、ピストンロッド１０１ｂを作動させる圧縮空気の供給口として、押側ポート１０２ｂと引側ポート１０２ａの２つを有している。
【００２５】
アクチュエータ１０の引側ポート１０２ａに圧縮空気を供給すると、アクチュエータ１０のピストンロッド１０１ｂが引っ込み、安全カバー１１が取り付けられた可動部１００はアクチュエータ１０の本体と近接し、給紙部２のギヤ部２ａが安全カバー１１で覆われた状態（図１（ａ）および図２（ａ））になる。なお、アクチュエータ１０のピストンロッド１０１ｂのストロークは、給紙部２のギヤ部２ａ内にある給紙シャフト３が露出するように調整されている。
【００２６】
また、アクチュエータ１０の押側ポート１０２ｂに圧縮空気を供給すると、アクチュエータ１０のピストンロッド１０１ｂが突出し、安全カバー１１が取り付けられた可動部１００はアクチュエータ１０の本体から離れ、給紙部２のギヤ部２ａが露出した状態（図１（ｂ）および図２（ｂ））になる。
【００２７】
カムフォロア２００を給紙シャフト３の軸３１に対して着にする際、安全カバー１１を自動的に閉じた状態にする、すなわち、給紙部２のギヤ部２ａが安全カバー１１によって覆われた状態にするためには、カムフォロア２００を給紙シャフト３の軸３１に対して着にする動力によりアクチュエータ１０のピストンロッド１０１ｂが引っ込めばよいため、本実施形態では、図３（ａ）に図示したように、エアシリンダ２０１の押側ポート２０１ｂに接続しているエア配管を分岐して、アクチュエータ１０の引側ポート１０２ａに接続している。
【００２８】
また、カムフォロア２００を給紙シャフト３の軸３１に対して脱にする際、安全カバー１１を自動的に開いた状態にする、すなわち、安全カバー１１によって給紙部２のギヤ部２ａが覆われない状態にするためには、カムフォロア２００を給紙シャフト３の軸３１に対して脱にする動力によりアクチュエータ１０のピストンロッド１０１ｂが突出すればよいため、本実施形態では、図３（ａ）に図示したように、エアシリンダ２０１の引側ポート２０１ｃに接続しているエア配管を分岐して、アクチュエータ１０の押側ポート１０２ｂに接続している。
【００２９】
このように配管することで、安全カバー１１が開いた状態で、エアシリンダ２０１の押側ポート２０１ｂに圧縮空気を供給すると、エアシリンダ２０１のピストンロッド２０１ａが突出して、図１（ａ）のように、カムフォロア２００は給紙シャフト３の軸３１に対して着になる。エアシリンダ２０１の押側ポート２０１ｂに供給される圧縮空気は、エアシリンダ２０１の押側ポート２０１ｂのみならず、アクチュエータ１０の引側ポート１０２ａに供給されるのでアクチュエータ１０のピストンロッド１０１ｂが引っ込み、図１（ａ）および図２（ａ）に図示したように、安全カバー１１は閉じた状態になる。
【００３０】
また、安全カバー１１が閉じた状態で、エアシリンダ２０１の引側ポート２０１ｃに圧縮空気を供給すると、エアシリンダ２０１のピストンロッド２０１ａが引っ込み、図１（ｂ）のように、カムフォロア２００は給紙シャフト３の軸３１に対して脱になる。エアシリンダ２０１の引側ポート２０１ｃに供給される圧縮空気は、エアシリンダ２０１の引側ポート２０１ｃのみならず、アクチュエータ１０の押側ポート１０２ｂに供給されるのでアクチュエータ１０のピストンロッド１０１ｂが突出し、図１（ｂ）および図２（ｂ）に図示したように、安全カバー１１は開いた状態になる。
【００３１】
このように、本実施形態の安全カバー装置１によれば、カムフォロア２００を給紙シャフト３の軸３１に対して着にする際、給紙部２のギヤ部２ａを覆う安全カバー１１が自動的に閉じた状態になるため、給紙部２のギヤ部２ａを覆う安全カバー１１の閉め忘れを防止できる。
【符号の説明】
【００３２】
１    安全カバー装置
１０  アクチュエータ
１００  アクチュエータの可動部
１０１ｂ  アクチュエータのピストンロッド
１０２ａ  引側ポート
１０２ｂ  押側ポート
１１  安全カバー
２    給紙部
２ａ  ギヤ部
２０  カムフォロア着脱機構
２００  カムフォロア
２０１  エアシリンダ
２０１ａ  エアシリンダのピストンロッド
２０１ｂ  エアシリンダの押側ポート
２０１ｃ  エアシリンダの引側ポート
【図１】
2014156102.tif 000003
【図２】
2014156102.tif 000004
【図３】
2014156102.tif 000005
【図４】
2014156102.tif 000006